(57)【特許請求の範囲】
【請求項１】
刷版の一端に形成されたくわえ部を版胴の軸方向に形成され該版胴の外表面に開口を有する長穴に係止させた後、
該刷版を該版胴の表面に対面して設けられた版押えローラで押えながら該版胴を１回転させることにより該刷版を該版胴に巻回し、
該刷版の他端に形成されたくわえ尻に設けた切欠溝を該版胴の表面に設けたレジスターピンに嵌合することにより該刷版を該版胴に位置決めするオフセット輪転印刷機の刷版位置決め方法において、
前記版押えローラの前記切欠溝に当る部分の円筒部を他の円筒部より大径に形成し、
該刷版のくわえ尻を該版押えローラで押圧することにより該くわえ尻を前記大径部が当る該切欠溝を基点として該切欠溝の開口を拡開する方向に湾曲させながら該切欠溝を該レジスターピンに嵌合することを特徴とするオフセット輪転印刷機の刷版位置決め方法。
【請求項２】
前記レジスターピンの前記切欠溝の開口端に接する端側角部を面取りして外側に下降する傾斜面を形成し、
該刷版のくわえ尻部を該版押えローラで押圧することにより該切欠溝の開口端を該面取り部に当て、該開口端を該面取り部の傾斜面に沿って滑らすことによって該切欠溝を該レジスターピンに嵌合するようにしたことを特徴とする請求項１記載の刷版位置決め方法。
【請求項３】
前記切欠溝の開口と底辺とを結ぶ側辺を、外側に向かって拡開した開口を形成する傾斜辺と該傾斜辺と底辺とを結ぶ垂直辺とで形成し、該傾斜辺を前記レジスターピンの端部に当てて滑らせることにより該切欠溝を該レジスターピンとの嵌合位置にガイドするようにしたことを特徴とする請求項１又は２記載の刷版位置決め方法。
【請求項４】
刷版の一端に形成されたくわえ部を版胴の軸方向に形成され該版胴の外表面に開口を有する長穴に係止させた後、
該刷版を該版胴の表面に対面して設けられた版押えローラで押えながら該版胴を１回転させることにより該刷版を該版胴に巻回し、
該刷版の他端に形成されたくわえ尻に設けた切欠溝を該版胴の表面に設けたレジスターピンに嵌合することにより該刷版を該版胴に位置決めするオフセット輪転印刷機の刷版位置決め方法において、
該版押えローラは少なくとも刷版に接する円筒部は同一の径を有し刷版を版胴に巻回するときに該刷版を該版胴に押付ける第１の版押えローラと、該くわえ尻の切欠溝に当る部分の円筒部を他の円筒部より大径に形成するとともに該切欠溝を前記レジスターピンに嵌合するときに、該刷版のくわえ尻を押えるくわえ尻装着用の第２の版押えローラとを備えることを特徴とするオフセット輪転印刷機の刷版位置決め方法。
【請求項５】
軸方向に延在して形成されて外表面に開口を有する長穴と、一端にくわえ部が形成され他端にくわえ尻が形成され該くわえ尻に設けられた刷版の切欠溝が当る位置の外表面に突設されたレジスターピンとを有する版胴と、該版胴の表面に対面して設けられた版押えローラとを備え、
該くわえ尻の切欠溝を該版胴のレジスターピンに嵌合することにより該刷版を該版胴に位置決めするオフセット輪転印刷機の刷版位置決め装置において、
前記版押えローラの前記切欠溝に当る部分の円筒部を他の円筒部より大径に形成し、
該刷版のくわえ尻を該版押えローラで押圧し該大径部を該くわえ尻の切欠溝に当てることにより該くわえ尻を該切欠溝を基点として該切欠溝の開口を拡開する方向に湾曲させながら該切欠溝を前記レジスターピンに嵌合するように構成したことを特徴とするオフセット輪転印刷機の刷版位置決め装置。
【請求項６】
前記レジスターピンの前記切欠溝の開口端に接する端側角部を面取りして外側に下降する傾斜面を形成し、
該刷版のくわえ尻部を該版押えローラで押圧することにより該切欠溝の開口端を該面取り部に当て、該開口端を該面取り部の傾斜面に沿って滑らすことによって該切欠溝を該レジスターピンに嵌合するように構成したことを特徴とする請求項５記載の刷版位置決め装置。
【請求項７】
前記切欠溝の開口と底辺とを結ぶ側辺を、外側に向かって拡開した開口を形成する傾斜辺と該傾斜辺と底辺とを結ぶ垂直辺とで形成し、該傾斜辺を前記レジスターピンの端部に当てて滑らせることにより該切欠溝を前記レジスターピンとの嵌合位置にガイドするように構成したことを特徴とする請求項５記載の刷版位置決め装置。
【請求項８】
軸方向に延在して形成されて外表面に開口を有する長穴と、一端にくわえ部が形成され他端にくわえ尻が形成され該くわえ尻に設けられた刷版の切欠溝が当る位置の外表面に突設されたレジスターピンとを有する版胴と、該版胴の表面に対面して設けられた版押えローラとを備え、
該くわえ尻の切欠溝を該版胴のレジスターピンに嵌合することにより該刷版を該版胴に位置決めするオフセット輪転印刷機の刷版位置決め装置において、
該版押えローラは少なくとも刷版に接する円筒部は同一の径を有し刷版を版胴に巻回するときに該刷版を該版胴に押付ける第１の版押えローラと、該くわえ尻の切欠溝に当る部分の円筒部を他の円筒部より大径に形成するとともに該切欠溝を前記レジスターピンに嵌合するときに、該刷版のくわえ尻を押えるくわえ尻装着用の第２の版押えローラとを備えることを特徴とするオフセット輪転印刷機の刷版位置決め装置。
【請求項９】
請求項５〜８のいずれか１項に記載の刷版位置決め装置とを備えたオフセット輪転印刷機。
【発明の詳細な説明】
【技術分野】
【０００１】
本発明は、オフセット輪転印刷機、特に新聞オフセット輪転印刷機に好適なピンレジスターシステムを採用した刷版位置決め方法及び装置に関し、従来のピンレジスターシステムの不具合点を解消して、刷版のくわえ尻部に設けられた切欠溝の変形を防止できるようにしたものである。
【背景技術】
【０００２】
従来オフセット輪転印刷機やオフセット枚葉機をはじめとした印刷機の版胴に対して刷版を着脱する刷版着脱装置の開発が進められ、ほぼ完全な自動化が可能になってきている。
例えば特許文献１（特開２００５−１６１８１８号公報）には、刷版の版胴への装着時に、版胴の軸方向に延在して形成され該版胴の外表面に開口を有する長穴に刷版の一端のくわえ部を係止させるのを手作業で行なう場合を除き、その後の装着工程及び取り外し工程をほぼ完全に自動化した装置が開示されている。
【０００３】
しかしながら新聞オフセット輪転機においては、印刷ユニット、即ち印刷版胴の数が多い上、版胴の幅も通常４ページ分あるため、交換を行なう箇所を間違える可能性が高く、誤刷のおそれがあり、作業性が悪い。
また印刷版胴の数が多い上、版胴の幅も通常４ページ分あるため、構造が複雑で大掛かりな自動着脱装置を設置するのは、スペース上の制約や、コストや保守点検の面で困難である。
【０００４】
そこで新聞オフセット輪転機においては、特許文献２（特開２００３−１４５７０７号公報）に開示されているように、従来から構成が簡素で正確な位置決めが可能なピンレジスターシステムが採用されてきた。この方法は、刷版に設けられたピン穴を利用して、版胴のレジスターピン（位置決めブロック）に嵌め込んで基準位置を出す方法である。新聞オフセット輪転機では、この方法をほぼ手作業でおこなっていた。通常は版胴取り付けられるレジスターピンは固定されており、見当のズレ調整は版胴自体を移動させて行なう等の方法が採られていた。
【０００５】
このピンレジスターシステムによる刷版着脱方法を図６により説明する。図６において、版胴０１には軸方向に延在されて形成され版胴表面に開口０２を有する長穴（図示略）が穿設され、版胴０１に刷版０３を装着する場合には、該開口０２に刷版０３の一端に形成されたくわえ部０４が挿入され該長穴に係止される。
【０００６】
版胴０１の表面には該版胴の軸方向に版押えローラ０８が設けられ、刷版０３のくわえ部０４を長孔に固定させ、版押えローラ０８で刷版０３を版胴表面に押付けた状態で版胴０１を１回転させることにより、刷版０３を版胴０１の表面に巻回する。版胴０１を１回転させることにより刷版０３の他端に形成されたくわえ尻０５が開口０２の位置に到達し、版押えローラ０８でくわえ尻０５を押すことにより、くわえ部０５に設けられた切欠溝０７が版胴０１の開口０２付近に設けられたレジスターピン０６に嵌合する。これによって刷版０３が版胴０１に対して位置決めされる。
【０００７】
その後図示しない長穴の内部に設けられた係止固定装置によりくわえ尻０５が該長穴の内部で版胴０１に係止固定されることにより、刷版０３が版胴０１に装着される。
刷版０３を版胴０１から取り外す場合には、前記装着工程とは逆に刷版０３のくわえ尻０５を版胴０１の長穴の内部に設けられた固定装置から取り外し、その後版胴０１を１回転して刷版０３をくわえ尻０５側から取り外していき、最後に手作業でくわえ部０４を開口０２の係止部から取り外す。
【０００８】
なおこのように版押えローラ０８を装備した半自動刷版装着及び脱着装置は、普通商業用オフセット輪転印刷機やオフセット枚葉印刷機に装備され、新聞オフセット輪転印刷機では、スペース上の制約や、コストや保守点検等の制約から、版押えローラ０８を装備せず、ほとんど手作業で刷版の着脱を行なっていた。
【０００９】
【特許文献１】特開２００５−１６１８１８号公報
【特許文献２】特開２００３−１４５７０７号公報
【発明の開示】
【発明が解決しようとする課題】
【００１０】
しかしながら前述の従来の半自動版交換装置を用いたピンレジスターシステムによる位置決め方法では、刷版０３を版胴０１に巻き付けると、刷版０３の寸法精度、くわえ部０４の装着不良などにより、図７に示すように、くわえ尻０５の切欠溝０７の位置がレジスターピン０６に対してずれてしまう場合がある。
【００１１】
この状態で版押えローラ０８で刷版のくわえ尻０５を押すと、切欠溝０７がレジスターピン０６の面取り部（端側角部に設けた傾斜面）０６ａに衝突してしまう。版押えローラ０８がくわえ尻０５に版胴０１の全幅に亘って接触しているために、図７に示す横方向の移動に対しての摩擦が強く、くわえ尻０５は、レジスターピン０６の面取り部０６ａに沿って横方向（版胴０１の幅方向）へ動くことはできない。
【００１２】
従って切欠溝０７の側辺０７ａの接触部分がレジスターピン０６の面取り部０６ａの傾斜面に沿うように変形してしまう。切欠溝０７が一旦変形してしまうと、レジスターピン０６との嵌合部に遊びができてしまい、正確な位置決めができなくなるという問題がある。
【００１３】
本発明は、かかる従来技術の課題に鑑み、オフセット輪転印刷機で前記ピンレジスターシステムにより刷版を版胴に位置決めする場合に、切欠溝の変形を生じることなく切欠溝をレジスターピンに嵌合して刷版の位置決めを正確に行なうことができる位置決め方法及び装置を実現することを目的とする。
【課題を解決するための手段】
【００１４】
前記目的を達成するため、本発明の刷版位置決め方法は、
刷版の一端に形成されたくわえ部を版胴の軸方向に形成され該版胴の外表面に開口を有する長穴に係止させた後、
該刷版を該版胴の表面に対面して設けられた版押えローラで押えながら該版胴を１回転させることにより該刷版を該版胴に巻回し、
該刷版の他端に形成されたくわえ尻に設けた切欠溝を該版胴の表面に設けたレジスターピンに嵌合することにより該刷版を該版胴に位置決めするオフセット輪転印刷機の刷版位置決め方法において、
前記版押えローラの前記切欠溝に当る部分の円筒部を他の円筒部より大径に形成し、
該刷版のくわえ尻を該版押えローラで押圧することにより該くわえ尻を前記大径部が当る該切欠溝を基点として該切欠溝の開口を拡開する方向に湾曲させながら該切欠溝を前記レジスターピンに嵌合することを特徴とする。
【００１５】
本発明方法では、版押えローラの前記切欠溝に当る部分の円筒部を他の円筒部より大径に形成しているため、くわえ尻が前記大径部が当る切欠溝を基点として該切欠溝の開口を拡開する方向に湾曲する。そのため切欠溝とレジスターピンとの間に横方向に若干のズレがあったとしても、開口の拡開によりそのズレ量を吸収して切欠溝の側辺の変形を生じることなく切欠溝をレジスターピンに嵌合することができる。
【００１６】
刷版は薄くて剛性の小さい例えばアルミ板等でつくられる。切欠溝の開口の拡開量は、版押えローラの大径部と他の円筒部との半径差や、版押えローラの長さ、あるいはくわえ尻の剛性等によって異なってくるが、本発明者等の検証によれば、切欠溝の相当する位置に大径部を有する版押えローラでくわえ尻を押すと、０．０１〜０．０４ｍｍ単位で切欠溝の開口が広がり、レジスターピンと切欠溝との最大すきまが０．０４５ｍｍであるので、切欠溝の開口にはレジスターピンに対して最大０．０８５ｍｍ余裕がある。これに対して切欠溝とレジスターピンとのズレ量ａは、通常０．０１〜０．０８ｍｍであり、従って通常のズレ量を十分吸収し得る広がり量を得ることができる。
【００１７】
一方切欠溝の開口の寸法とレジスターピンの寸法とは、その嵌め合い部に遊びがあっては刷版の正確な位置決めが出来ないため、ミクロン単位での公差しかなく、両者の横方向の微小なずれでも両者間で当りや噛み込みが生じる。
【００１８】
また版押えローラに大径部を設けることにより、くわえ尻が版押えローラから力を受けるのは該大径部がくわえ尻に接している部分のみとなる。一方切欠溝がレジスターピンに接触した場合、切欠溝の側辺の接触部分にはレジスターピンを避けようとするモーメントが作用するが、前述のようにくわえ尻が版押えローラから力を受けるのは該大径部がくわえ尻に接している部分のみであるため、切欠溝の接触部分が横方向へ移動しやすくなる。
【００１９】
即ちくわえ尻と接触する版押えローラの大径部は比較的短いため、くわえ尻の横方向への移動に対しての摩擦力が弱く、切欠溝の接触部分が横方向へ移動しやすくなる。これによって切欠溝がレジスターピンに接触しても横方向に動き、切欠溝の側辺の変形を回避できる。
なお該大径部の長さは、少なくとも切欠溝の開口長さ以上とする必要がある。
【００２０】
なお好ましくは、レジスターピンの切欠溝の開口端に接する端側角部を面取りして外側に下降する傾斜面を形成すれば、刷版のくわえ尻部を該版押えローラで押圧した時、切欠溝とレジスターピンとの位置関係にズレがあっても、切欠溝の開口端を該面取り部に当て、面取り部の傾斜面に沿って滑らすことによって、切欠溝をさらに横方向に移動しやすくすることができ、このため該切欠溝を側辺の変形を生じることなく、容易に該レジスターピンに嵌合することができる。
前述のように切欠溝とレジスターピンとの間の通常生じるずれ量は０．０１〜０．０８ｍｍであるので、前記面取り部の幅を１ｍｍ以上とすれば、切欠溝の開口端を面取り部に当てることができる。
【００２１】
また本発明方法において、好ましくは、切欠溝の開口と底辺とを結ぶ側辺を、外側に向かって拡開した開口を形成する傾斜辺と該傾斜辺と底辺とを結ぶ垂直辺とで形成し、該傾斜辺を前記レジスターピンの端部に当てて滑らせるにより切欠溝をレジスターピンとの嵌合位置にガイドするようにすれば、切欠溝とレジスターピンとの間に多少のズレが生じていても、切欠溝のレジスターピンへの嵌合がスムーズに行なわれ、切欠溝側辺の変形を招くことがなくなる。
このように該傾斜辺で切欠溝とレジスターピンとの横ズレを吸収した後、切欠溝の垂直辺とレジスターピンとの遊びのない嵌め合いを形成することにより、正確な位置決めを行なう。
【００２２】
またレジスターピンには前記面取り部を形成し、切欠溝の側辺には前記傾斜辺を形成し、さらには該面取り部の傾斜面の傾斜角と該傾斜辺の傾斜角とを同一にすれば、切欠溝の傾斜辺に当る荷重が均等に分散され、このため該傾斜辺の変形を生じることなく、かつ該傾斜辺を該面取り部を滑らせることにより、切欠溝の横方向への移動が一層スムーズに行なわれる。
【００２３】
また本発明方法において、刷版の一端に形成されたくわえ部を版胴の軸方向に形成され該版胴の外表面に開口を有する長穴に係止させた後、
該刷版を該版胴の表面に対面して設けられた版押えローラで押えながら該版胴を１回転させることにより該刷版を該版胴に巻回し、
該刷版の他端に形成されたくわえ尻に設けた切欠溝を該版胴の表面に設けたレジスターピンに嵌合することにより該刷版を該版胴に位置決めするオフセット輪転印刷機の刷版位置決め方法において、
該版押えローラは少なくとも刷版に接する円筒部は同一の径を有し刷版を版胴に巻回するときに該刷版を該版胴に押付ける第１の版押えローラと、該くわえ尻の切欠溝に当る部分の円筒部を他の円筒部より大径に形成するとともに該切欠溝を前記レジスターピンに嵌合するときに、該刷版のくわえ尻を押えるくわえ尻装着用の第２の版押えローラとを備えることを特徴とする。
【００２４】
また本発明の刷版位置決め装置は、軸方向に延在して形成されて外表面に開口を有する長穴と、一端にくわえ部が形成され他端にくわえ尻が形成され該くわえ尻に設けられた刷版の切欠溝が当る位置の外表面に突設されたレジスターピンとを有する版胴と、該版胴の表面に対面して設けられた版押えローラとを備え、
該くわえ尻の切欠溝を該版胴のレジスターピンに嵌合することにより該刷版を該版胴に位置決めするオフセット輪転印刷機の刷版位置決め装置において、
前記版押えローラの前記切欠溝に当る部分の円筒部を他の円筒部より大径に形成し、
該刷版のくわえ尻を該版押えローラで押圧し該大径部を該くわえ尻の切欠溝に当てることにより該くわえ尻を該切欠溝を基点として該切欠溝の開口を拡開する方向に湾曲させながら該切欠溝を前記レジスターピンに嵌合するように構成したことを特徴とする。
【００２５】
本発明装置において、前記構成により、刷版を版胴に装着する場合、まず刷版のくわえ部を版胴の軸方向に設けられた長穴の開口部分に係止させ、その後版押えローラで刷版を版胴表面に押えた状態で１回転し、最後に刷版の末端に設けられたくわえ尻の切欠溝を版胴の表面に突設されたレジスターピンに嵌合する時に、前記大径部を該くわえ尻部の切欠溝に当てることによりくわえ尻部を切欠溝を基点として切欠溝の開口を拡開する方向に湾曲させながら切欠溝をレジスターピンに嵌合するようにするため、切欠溝とレジスターピンとの間に横方向にズレがあったとしても、切欠溝の開口の拡開によりそのズレ量を吸収することができるため、切欠溝側辺に変形を生じることなく切欠溝をレジスターピンに嵌合することができる。
【００２６】
また前述のように、版押えローラとくわえ部との接触部が比較的長さの短い大径部であるため、くわえ尻の横方向への移動に対しての摩擦力が弱く、そのためくわえ尻は横方向に移動しやすくなるため、切欠溝とレジスターピンとの横方向のズレの解消をさらに容易にすることができる。
【発明の効果】
【００２７】
本発明方法及び本発明装置によれば、版押えローラの前記切欠溝に当る部分の円筒部を他の円筒部より大径に形成し、刷版のくわえ尻を該版押えローラで押圧することにより該くわえ尻を前記大径部が当る該切欠溝を基点として該切欠溝の開口を拡開する方向に湾曲させながら該切欠溝を前記レジスターピンに嵌合するようにすることにより、切欠溝開口の拡開により切欠溝とレジスターピンとの横方向のズレを吸収することができるので、切欠溝側辺の変形を招くことなく、切欠溝をレジスターピンに嵌合することができる。
【００２８】
また好ましくは、レジスターピンの前記切欠溝の開口端に接する端側角部を面取りして外側に下降する傾斜面を形成し、刷版のくわえ尻を版押えローラで押圧することにより切欠溝の開口端を該面取り部に当て、該開口端を該面取り部の傾斜面に沿って滑らすことによって切欠溝を該レジスターピンに嵌合するようにすれば、切欠溝のレジスターピンへの嵌合がさらに容易になる。
【００２９】
また好ましくは、切欠溝の開口と底辺とを結ぶ側辺を、外側に向かって拡開した開口を形成する傾斜辺と該傾斜辺と底辺とを結ぶ垂直辺とで形成し、該傾斜辺により該切欠溝をレジスターピンとの嵌合位置にガイドするようにすれば、切欠溝のレジスターピンへの嵌合がさらに容易になる。
【００３０】
また軸方向に延在して形成されて外表面に開口を有する長穴と、一端にくわえ部が形成され他端にくわえ尻が形成され該くわえ尻に設けられた刷版の切欠溝が当る位置の外表面に突設されたレジスターピンとを有する版胴と、該版胴の表面に対面して設けられた版押えローラとを備え、
該くわえ尻の切欠溝を該版胴のレジスターピンに嵌合することにより該刷版を該版胴に位置決めするオフセット輪転印刷機の刷版位置決め装置において、
該版押えローラは少なくとも刷版に接する円筒部は同一の径を有し刷版を版胴に巻回するときに該刷版を該版胴に押付ける第１の版押えローラと、該くわえ尻の切欠溝に当る部分の円筒部を他の円筒部より大径に形成するとともに該切欠溝を前記レジスターピンに嵌合するときに、該刷版のくわえ尻を押えるくわえ尻装着用の第２の版押えローラとを備えるよう構成にすれば、本発明方法の自動化が可能になる。
【発明を実施するための最良の形態】
【００３１】
以下、本発明を図に示した実施例を用いて詳細に説明する。但し、この実施例に記載されている構成部品の寸法、材質、形状、その相対配置などは特に特定的な記載がない限り、この発明をそれのみに限定する趣旨ではない。
図１は、本発明の第１実施例の切欠溝とレジスターピンとの嵌合部を示す模式図、図２及び図３は、比較例における切欠溝の変形状態を示す説明図、図４は前記第１実施例における切欠溝の変形有無を示す説明図、図５は、本発明の第２実施例の模式図である。
【実施例１】
【００３２】
本発明の第１実施例を示す図１は、前述した方法で刷版が版胴に巻回され、刷版の末端に形成されたくわえ尻５が版胴表面に突設されたレジスターピン６に嵌合される箇所を示す。なおレジスターピン６は、版胴の軸方向の中央部で、版胴の軸方向に延設され版胴表面に係止用開口を有する長穴の該係止用開口の近傍に設けられている。
【００３３】
刷版は、版胴に巻回されるとき版胴の表面に対面して設けられた図３（ａ）に示す版押えローラ２８と同形状のローラで版胴側に押付けられた状態で巻回されるが、本実施例においては版押えローラ（くわえ尻装着用）８の切欠溝７に当る部分は、幅ｂだけ大径に形成され、その他の部分は該大径部８ａより小径となる同一径８ｂで構成されている。なお切欠溝７は、レジスターピン６に対応するくわえ尻５の中央部に設けられている。
【００３４】
具体的な大きさとして、例えば小径部ｄ１は２６．０ｍｍ、大径部ｄ２は２６．２ｍｍ、大径部８ａの軸方向長さｂは３０．０ｍｍの寸法で形成され、また切欠溝７の開口幅は例えば６ｍｍ（公差０〜＋０．０２ｍｍ）とすれば、これに嵌合するレジスターピン６の長さは６ｍｍ（公差−０．０１〜−０．０２５ｍｍ）のように設定される。このように切欠溝７とレジスターピン６の嵌合部の寸法は、ほとんど遊びなしに設定される。
また切欠溝７の側辺７ａに接触するレジスターピン６の４隅は、角部を切り取って傾斜面とした面取り部６ａが形成されている。
【００３５】
かかる構成の第１実施例において、刷版を版胴に装着する場合に、刷版のくわえ部を前記係止用開口に係止された後、刷版を図３（ａ）に示す版押えローラ２８と同形状のローラで押えながら版胴を１回転させることにより、刷版を版胴に巻回する。そして刷版の末端に形成されたくわえ尻５を版胴の前記係止用開口の近傍に設けられたレジスターピン６に版押えローラ８で押えることによって嵌合するときに、切欠溝７とレジスターピン６との間に横方向のずれａが生じたときは、切欠溝７の開口端７ｂがレジスターピン６の該面取り部６ａに当り、開口端７ｂをレジスターピン６との嵌合位置に向かわせる力ｆが生じる。
【００３６】
これによって開口端７ｂが面取り部６ａの傾斜面を滑り、切欠溝７とレジスターピン６との嵌合がスムーズに行なわれる。また本実施例においては、版押えローラ８の大径部８ａのみがくわえ尻５に接触して押圧力を付加しているため、くわえ尻５の横方向への移動に対する摩擦力が弱く、くわえ尻５が横方向へ移動しやすくなる。
これらの作用によって、切欠溝７の開口端７ｂがレジスターピン６の面取り部６ａに接触してもその傾斜面に沿って滑り、側辺７ａの変形を回避することができる。
【００３７】
図２及び図３は、２つの比較例の場合の切欠溝側辺の変形状況を示す説明図である。図２は、図２（ａ）に示す版押えローラ１８を使用した場合の第１の比較例である。該版押えローラ１８は、均等な間隔で４箇所に配置され４箇所とも同一の径を有する小幅の大径部１９ａ〜１９ｄと、その他の円筒部分を構成する小径部１８ｂとで構成されている。かかる構成の版押えローラ１８でくわえ尻１５を押したとき、くわえ尻１５の切欠溝１７は、大径部１９ｂと１９ｃの間の中央部に位置するため、切欠溝１７には力が付加されず、切欠溝１７を挟んだ大径部１９ｂ及び１９ｃの位置に力Ｆ１及びＦ２が付与される。
【００３８】
従ってくわえ尻１５には切欠溝１７の開口を縮小する方向にくわえ尻１５を湾曲する力ｆ１が働き、力ｆ１は面取り部１６ａの傾斜面に直交する方向に作用するため、開口端１７ｂはレジスターピン１６の面取り部１６ａの傾斜面に沿って嵌合位置に滑ることができない。そのため切欠溝１７の開口端１７ｂに過大な負荷が加わり、側辺１７ａが変形してしまう。図２の第１の比較例では、図２（ｃ）に示すように、側辺１７ａに２．３ｍｍの変形が生じている。
【００３９】
また図３は第２の比較例を示す。この比較例で使用される版押えローラ２８は、軸方向全長に亘り同一の外径を有するローラ面２８ａで構成されている。この構成の版押えローラ２８でくわえ尻２５を押すと、切欠溝２７に当る部分を含めくわえ尻２５の全長に亘り同一の力Ｆ３がくわえ尻２５に加わる。そのため切欠溝２７の開口端２７ｂは、レジスターピン２６の面取り部２６ａの傾斜面に対して垂直方向の力ｆ２を付加する。
【００４０】
また版押えローラ２８のローラ面２８ａが全長に亘りくわえ尻２５に接触しているため、くわえ尻２５の横方向の動きに対して大きな摩擦力が働き、くわえ尻２５は、レジスターピン２６の面取り部２６ａに沿って横方向に動きにくい。これらの作用によって切欠溝２７の開口２７ｂは、レジスターピン２６の面取り部２６ａの傾斜面に沿って動くことができず、従って切欠溝２７の側辺２７ａに変形が生じやすい。
本発明者等の検証によれば、この第２の比較例においては、図３（ｃ）に示すように、切欠溝２７の側辺２７ａに１．２ｍｍの変形が生じた。
【００４１】
一方図４は、前記第１実施例の場合の検証結果であり、この場合は、前述のように版押えローラ８とくわえ尻５との間でくわえ尻５の横方向の動きに対して発生する摩擦力が弱く、切欠溝７の開口７ｂがレジスターピン６の面取り部６ａの傾斜面に沿って動きやすく、版押えローラ８の押圧力によって切欠溝７の開口端７ｂがレジスターピン６の面取り部６ａに当ると、開口端７ｂを面取り部６ａの傾斜面に沿って嵌合方向に移動させる力ｆ３が働く。従って開口端７ｂが面取り部６ａに沿って動くため、側辺７ａの変形を回避しながらスムーズに嵌合位置に移動することができる。本発明者等の検証によれば、図４（ｃ）に示すように切欠溝７の側辺７ａに変形は見当らなかった。
【実施例２】
【００４２】
次に本発明の第２実施例を図５に基づいて説明する。本実施例は、図５に示すように、図１に示す前記第１実施例において、切欠溝７の即辺７ａを外側に向かって拡開した開口を形成する傾斜辺７ｃと該傾斜辺と底辺７ｅとを結ぶ垂直辺７ｄとで形成したものであり、その他の構成は前記第１実施例と同一なため、同一な部位については該第１の実施例と同一の符号を付して、それら部位の説明を省略する。
【００４３】
本実施例において、切欠溝７の開口端に傾斜辺７ｃを設けたことにより、切欠溝７とレジスターピン６との横方向ずれ量ａがさらに大きくなったとしても、該ずれ量ａが傾斜辺７ｃの範囲内であれば、該傾斜辺７ｃがレジスターピン６の面取り部６ａに接することにより、傾斜辺７ｃが面取り部６ａの傾斜面を滑り、版押えローラ８が大径部８ａを有することにより切欠溝７を拡開する方向に作用することと相まって、切欠溝７をレジスターピン６との嵌合位置にスムーズに移動することができる利点がある。
【００４４】
傾斜辺７ｃの奥には底辺７ｅに垂直な垂直辺７ｄが形成され、該垂直辺７ｄによりレジスターピン６との間で遊びのない嵌め合いを形成するため、くわえ尻５の版胴に対する正確な位置決めを行なうことができる。なお傾斜辺７ｃとレジスターピン６の面取り部６ａの傾斜面の傾斜足場角度を同一とすれば、該傾斜辺７ｃに面取り部６ａから加わる反力を該傾斜辺７ｃの全体に対して均等に分散することができるので、該傾斜辺７ｃの変形を生じることがなく、かつ該傾斜辺７ｃと面取り部６ａとが密着しているので、切欠溝７のレジスターピン６との嵌合方向への横移動が一層スムーズに行なわれる。
【００４５】
なお本発明の変形例として、図２（ａ）に示す第１の比較例の版押えローラ１８において、大径部１９ｂと１９ｃとの間の中央位置で且つ切欠溝１７に当る位置に該大径部１９ｂ、１９ｃより大きな径を有する大径部を設けるようにしてもよい。
【産業上の利用可能性】
【００４６】
本発明によれば、オフセット輪転印刷機、特に新聞オフセット輪転印刷機において、ピンレジスターシステムを採用した刷版の版胴への位置決めに際し、簡単な構成でくわえ尻の切欠溝とレジスターピンとのずれを吸収してくわえ尻を正確な位置に位置決めすることが可能となる。
【図面の簡単な説明】
【００４７】
【図１】本発明の第１実施例の切欠溝とレジスターピンとの嵌合部を示す模式図である。
【図２】第１の比較例における切欠溝の変形状態を示す説明図である。
【図３】第２の比較例における切欠溝の変形状態を示す説明図である。
【図４】本発明の前記第１実施例における切欠溝の変形有無を示す説明図である。
【図５】本発明の第２実施例の模式図である。
【図６】従来のピンレジスターシステムを採用した刷版の版胴への取り付け状況を示す斜視図である。
【図７】従来のピンレジスターシステムを採用した刷版の版胴への取り付け状況を示す説明図である。
【符号の説明】
【００４８】
０１    版胴
０２    開口
０３    刷版
０４    くわえ部
０５    くわえ尻
０６、６、１６、２６    レジスターピン
６ａ、１６ａ、２６ａ    面取り部
０７、７、１７、２７    切欠溝
７ａ、１７ａ、２７ａ    側辺
７ｂ、１７ｂ、２７ｂ    開口端
７ｃ    傾斜辺
７ｄ    垂直辺
７ｅ    底辺
０８、８、１８、２８    版押えローラ
８ａ    大径部
【図１】
0004737759.tif 000002
【図２】
0004737759.tif 000003
【図３】
0004737759.tif 000004
【図４】
0004737759.tif 000005
【図５】
0004737759.tif 000006
【図６】
0004737759.tif 000007
【図７】
0004737759.tif 000008